(57)【要約】【課題】  液体の詰替えなどを周囲にこぼさずに確実にかつ容易に行うことができるようにすることを目的とする。    【解決手段】  肉薄で柔軟な容器部の一部を外方突出する中空突部として該突部先端に注出口を開口可能とし、かつ該中空突部内に通液路付き棒状材を挿入させた肉薄容器において、上記棒状材30は、偏平な容器本体12側縁から屈曲して該側縁に沿って伸びるＬ字形の中空突部６内を摺動自在に設け、該中空突部を側外方へ傾斜させたときに中空突部先端側から基端側の曲管部16内へ棒状材30を移動することで曲管部16における通液路を確保するように設けている。【選択図】  図１
2005289469.tif 000002
【特許請求の範囲】
【請求項１】
肉薄で柔軟な容器部の一部を外方突出する中空突部として該突部先端に注出口を開口可能とし、かつ該中空突部内に通液路付き棒状材を挿入させた肉薄容器において、
上記棒状材30は、容器本体12側縁から屈曲して該側縁に沿って伸びる中空突部６内を摺動自在に設け、該中空突部を側外方へ傾斜させたときに中空突部先端側から基端側の曲管部16内へ棒状材30を移動することで曲管部16における通液路を確保するように設けたことを特徴とする肉薄容器。
【請求項２】
上記棒状材30は、上記中空突部６を側外方へ傾斜させたときの状態で中空突部６内面のうち曲管部16外縁部の流路方向両側に位置する２点Ａ、Bと曲管内縁部の１点Cとにそれぞれ当接して該中空突部６の傾斜状態を維持することが可能な長さに形成したことを特徴とする、請求項１記載の肉薄容器。
【請求項３】
上記容器部２は、上記容器本体12及び中空突部６の各半身に対応する同形の２枚の合成樹脂製フィルムを重ね合わせるとともに両フィルムの縁部４を溶着してなり、上記中空突部６両側の縁部分に、上記棒状材30との当接点Ａ、B、Cが位置するように構成したことを特徴とする、請求項２記載の肉薄容器。
【請求項４】
上記棒状材30の横巾を、上記中空突部６を側外方へ傾斜させたときの状態での上記曲管部16の内径とほぼ同じとしたことを特徴とする、請求項１、請求項２、又は請求項３記載の肉薄容器。
【請求項５】
上記棒状材30の一部を、中空突部６先端側の直管部18内面に溶着させたことを特徴とする、請求項１乃至請求項４の何れかに記載した肉薄容器。
【請求項６】
上記棒状材30を、中空突部６の内径とほぼ同外径を有するパイプとしたことを特徴とする、請求項１乃至請求項５の何れかに記載した肉薄容器。
【請求項７】
上記中空突部６と容器本体12の対向縁部分とを破断線20を介して連結させたことを特徴とする、請求項１乃至請求項６の何れかに記載した肉薄容器。
【発明の詳細な説明】
【技術分野】
【０００１】
本発明は、洗剤や食品・調味料などの肉薄容器、特にこれら調味料などの詰替え用容器に関する。
【背景技術】
【０００２】
この種容器として、従来から、２枚のシートを重ね合わせて形成した柔軟な袋状容器体の周辺一部を短く外方突出して中空突部となし、該突起先端部の切断により注出口を開口するものが知られており（特許文献１）、又、液注出を容易とするために、通液路確保用棒状材を短直管状の中空突部内に嵌挿したものが知られている（特許文献２、特許文献３）。
【特許文献１】特開2002−337893号
【特許文献２】特開平09−024956号
【特許文献３】特開平11−152153号
【発明の開示】
【発明が解決しようとする課題】
【０００３】
両特許文献の詰替え用肉薄容器は、袋状容器体から側外方へ短く中空突部を突出しているため、該突起先端に注出口を開口した後液注出を行うまでに不意に容器胴部を強く握るなどすると注出口から内容液がこぼれる虞がある。かかる不都合を回避するためには、内容液入りの容器本体からの中空突部の突出長を大きくすることが考えられるが、上記各文献の容器において単に袋状体から側外方へ長尺の中空突部を突出しただけでは、該中空突部がふらついて注出作業が困難となり、又、運搬、保管等の際に不便である。
【０００４】
本発明は、液体の詰替えを周囲にこぼさずに確実にかつ容易に行うことができるようにするため、容器本体から屈曲して突出した中空突部内へ通液路付き棒状材をスライド自在に嵌合した肉薄容器を提供することを目的とする。
【課題を解決するための手段】
【０００５】
第1の手段は、肉薄で柔軟な容器部の一部を外方突出する中空突部として該突部先端に注出口を開口可能とし、かつ該中空突部内に通液路付き棒状材を挿入させた肉薄容器において、上記棒状材30は、容器本体12側縁から屈曲して該側縁に沿って伸びる中空突部６内を摺動自在に設け、該中空突部を側外方へ傾斜させたときに中空突部先端側から基端側の曲管部16内へ棒状材30を移動することで曲管部16における通液路を確保するように設けている。
具体的には、上記容器部は、同一形状の２枚の合成樹脂製フィルムを重ね合わせてその縁部を溶着して形成することができる。又、その容器本体は、通常は扁平な形状のものであり、かつ直線状に付形した側縁（左右側縁の他、上方側縁、下方側縁を含む）を有するものとし、又、中空突部は、容器本体側縁の一端部に開口する連通口から曲管部を介して残りの容器本体側縁部分に沿って直管部を突出してなるＬ字形（カギ型を含む）のものとすることができるものとする。又上記注出突部には、上記直管部先端側から更に容器本体と反対側へ屈曲する摘み兼用の蛇口形端部を設けても良い。
【０００６】
尚、上記第1手段中の「中空突部先端側から…棒状材30を移動する」のうち「中空部先端側」とあるのは、「曲管よりも先端側の中空突部分」との意味である。
【０００７】
第２の手段は、上記第１の手段を有し、かつ上記棒状材30は、上記中空突部６を側外方へ傾斜させたときの状態で中空突部６内面のうち曲管部16外縁部の流路方向両側に位置する２点Ａ、Bと曲管内縁部の１点Cとにそれぞれ当接して該中空突部６の傾斜状態を維持することが可能な長さに形成している。
【０００８】
第３の手段は、上記第２の手段を有し、かつ上記容器部２は、上記容器本体12及び中空突部６の各半身に対応する同形の２枚の合成樹脂製フィルムを重ね合わせるとともに両フィルムの縁部４を溶着してなり、上記中空突部６両側の縁部分に、上記棒状材30との当接点Ａ、B、Cが位置するように構成している。
【０００９】
第４の手段は、上記第1の手段、第２の手段又は第３の手段を有し、かつ上記棒状材30の横巾を、上記中空突部６を側外方へ傾斜させたときの状態での上記曲管部16の内径とほぼ同じとした。
【００１０】
第５の手段は、上記第1の手段乃至第４の手段の何れかを有し、かつ上記棒状材30の一部を、中空突部６先端側の直管部18内面に溶着させている。
【００１１】
第６の手段は、上記第1の手段乃至第５の手段の何れかを有し、かつ上記棒状材30を、中空突部６の内径とほぼ同外径を有するパイプとしている。
【００１２】
第７の手段は、上記第1の手段乃至第６の手段の何れかを有し、かつ上記中空突部６と容器本体12の対向縁部分とを破断線20を介して連結させている。
【発明の効果】
【００１３】
第1の手段に係る発明によれば、次の効果を奏する。
○通液路付き棒状材30を曲管部16内へ移動させることができるから、中空突部６を側外方へ傾斜させた状態で曲管部16の屈折により通路が塞がることを防止できる。
○既存の袋状容器の中空突部６内に棒状材30を挿入しただけの構成であるから、構造が簡単であり、廉価に製造することができる。
【００１４】
第２の手段に係る発明によれば、中空突部６を側外方へ傾斜させた状態で棒状材30が中空突部６内面の３点Ａ、B、Cに当接して上記中空突部６の傾斜状態を維持するようにしたから、中空突部６を側外方へ引き出して例えば被詰替え容器の口頸部内へ挿入する迄の間に中空突部を手で支える必要がなく、使い勝手が良い。
【００１５】
第３の手段に係る発明によれば、柔軟な容器部２のうち比較的強度の大きい縁部４を、棒状部材を支える支点などとして利用するので、より確実に上記中空突部６の傾斜状態を維持できる。
【００１６】
第４の手段に係る発明によれば、図２の如く上記中空突部６を上側方へ傾斜させたときに容器本体12内へ棒状材30が脱落しないように構成したから、該棒状材を利用して上述の如く快適な注出操作が可能である。
【００１７】
第５の手段に係る発明によれば、棒状材30一部を中空突部６内に溶着させたから、該中空突部先端を開口したときに棒状材が不意に飛び出すことがない。
【００１８】
第６の手段に係る発明によれば、棒状材30をパイプにしたから、そのパイプ孔を介してスムーズに液体を外部へ送液することができる。
【００１９】
第７の手段に係る発明によれば、上記中空突部６と容器本体12の対向縁部分とを破断線20を介して連結させたから、上記中空突部６が容器本体12に対してぶらつくことを防止できる。
【発明を実施するための最良の形態】
【００２０】
図１及び図２は、本発明の第1の実施形態に係る肉薄容器を示している。まず該容器の構成中公知の部分について説明する。
【００２１】
この肉薄容器は、袋状の容器部２と棒状材30とからなる。
【００２２】
容器部２は、同一形状の表裏２枚の柔軟な合成樹脂製フィルムを重ね合わせてこれら両フィルムの縁部４を溶着することで形成しており、この縁部の一部分を含む容器部２一部を外方突出して中空突部６としている。該中空突部は、上記表裏２枚のフィルム部分を継ぎ合せて形成している。又、中空突部の先端側に破断線８を穿設して該破断線よりも先端側の部分10を切離可能に構成している。
【００２３】
棒状材30は、上記中空突部６内に嵌挿されている。
【００２４】
本発明においては、容器部２は、長方形状の容器本体12を有し、該容器本体の上縁部前端部（図面では左端部）に開口する連通口14から曲管部16を介して後方へ直管部18を突出している。又、図示例では、上記容器本体12の前端部を除く上縁部分と、中空突部６の下縁部分とを破断線20を介して連結して、容器部２全体を長方形に付形している。又、上記破断線20の奥部には中空突部６基部の変形を容易とするための穿孔22を形成している。尚、図示の中空突部６は、上記屈曲部を経て直管部を突出する略L字形に形成しているが、その形状は適宜変更することができ、直管部の後端部から上方へ湾曲する蛇口形端部（図示せず）を設けて、該蛇口形端部を摘んで上方へ引っ張ることで上記容器本体12と中空突部６との間の破断線20を破断できるようにしても良い。なお、この場合には上記蛇口形端部の上端部分に破断線８を横設して注出口を開口可能に設けると良い。
【００２５】
上記棒状材30は、本実施形態では、上記中空突部６内径と同一外径のパイプで形成しており、そのパイプ孔を通液路32としている。但し、棒状材の構造は適宜変更できるものとし、後述の変形例で述べるように非筒形状とすることができる。上記棒状材30は、図示例では上記直管部18後半部分（曲管寄りの部分）に嵌挿させてあり、該後半部分内面に溶着34されている。尚、棒状材30は、後述の如く中空突部６の傾斜状態を支持可能な程度の強度を有するものとする。
【００２６】
上記構成において、図１の状態では長尺の中空突部６と容器本体12とは破断線20を介して連結されており、運搬などの際に中空突部がぶらつくことを防止している。図１状態から上記破断線20を切離して、図２に示す如く上記中空突部６を上外方へ傾斜させるとともに、該中空突部先端側の破断線８を破断して注出口を開口させ、更に上記棒状材30を曲管部16内へ移動させると、該棒状材が曲管内の流路を確保するとともに、曲管内に係止して中空突部６の傾斜状態を維持する。このときの棒状材の作用を図３及び図４を用いて説明する。尚、これら両図では説明の便宜上棒状材30の左右巾を中空突部６の内径よりもやや小さく描いている。中空突部６の直管部18を図３に示す水平状態から図４に示す上外方への傾斜状態とし、かつ該直管部18内から曲管部16内へ棒状材30を移動させると、該棒状材は、曲管部16外縁部の流路方向両側の２点Ａ、Ｂと、曲管内縁部の１点Cとに当接することとなる。このとき棒状材は、点Cを支点、点Ａを力点、点Bを支点として、直管部18を支え、中空容器の傾斜状態を支持することとなる。ここで上記点Ａ〜Cは何れも縁部４上にあるのでよりその支持を確実なものとすることができる。
【００２７】
図５は、図１の容器の棒状材30の変形例を示すものであり、棒状材の横断面を十字形とし、その十字を形成する縦板部と横板部との間の凹部を通液路32に形成したものである。尚、棒状材の形状は上述の十字形の他、C字形、L字形など適宜形状とすることができる。
【図面の簡単な説明】
【００２８】
【図１】本発明の一の実施形態に係る容器の表面図である。
【図２】図１容器の使用状態説明図である。
【図３】図１容器の作用説明図である。
【図４】図１容器の作用説明図である。
【図５】図１容器の要部斜視図である。
【符号の説明】
【００２９】
２…容器部  ４…縁部  ６…中空突部  ８…破断線  
10…中空突部先端部  
12…容器本体  14…連通口  16…曲管部  18…直管部  20…破断線  22…穿孔
30…棒状材  32…通液路  34…溶着部
【図１】
2005289469.tif 000003
【図２】
2005289469.tif 000004
【図３】
2005289469.tif 000005
【図４】
2005289469.tif 000006
【図５】
2005289469.tif 000007